(57)【要約】【課題】ユーザの周囲の状況を効率よく記録する。【解決手段】変化検出部４は、生体センサ２が測定した心拍数、皮膚抵抗、皮膚温度差の３つの生体情報を観測値として３次元特徴空間にマッピングし、３次元特徴空間上にクラスを生成する。そして、変化検出部４は、新たに測定した観測値が属するクラスと、過去に測定した観測値が属するクラスとを比較し、クラスが異なるときにユーザの変化を検出する。制御部１２は、変化検出部４が変化を検出すると、ビデオカメラ５、スチルカメラ６、マイクロフォン６を駆動し、ユーザの周囲の画像及び音声を記録する。【選択図】図１
2005110869.tif 000002
【特許請求の範囲】
【請求項１】
情報を取得する取得手段と、
ユーザの生体情報及び／又はユーザの周囲の環境情報を測定する測定手段と、
上記生体情報及び／又は環境情報を基にユーザの状態の変化を検出する変化検出手段と、
上記変化検出手段がユーザの状態の変化を検出したとき、上記取得手段が取得した情報を記録手段に記録させる記録制御手段と
を備えることを特徴とする記録装置。
【請求項２】
上記変化検出手段は、上記生体情報及び／又は環境情報に基づく値を観測値とする特徴空間にクラスを形成し、現在測定した生体情報及び／又は環境情報が属するクラスと、過去に測定した生体情報及び／又は環境情報が属するクラスとが異なるときにユーザの状態の変化を検出すること
を特徴とする請求項１記載の記録装置。
【請求項３】
上記変化検出手段は、異なる時間に測定された生体情報及び／又は環境情報の値を比較し、この差が所定の閾値より大きいときに変化をユーザの状態の検出すること
を特徴とする請求項１記載の記録装置。
【請求項４】
上記変化検出手段は、生体情報及び／又は環境情報の値と上記生体情報及び／又は環境情報の標準値を示す閾値とを比較し、当該生体情報及び／又は環境情報が上記閾値の範囲を超えたときにユーザの状態の変化を検出すること
を特徴とする請求項１記載の記録装置。
【請求項５】
時刻を計時する計時手段を備え、
上記記録制御手段は、ユーザの状態が変化した時刻を記録手段に記録させること
を特徴とする請求項１記載の記録装置。
【請求項６】
ユーザの位置を測定する位置測定手段を備え、
上記記録制御手段は、ユーザの状態が変化した位置を記録手段に記録させること
を特徴とする請求項１記載の記録装置。
【請求項７】
ユーザの個人情報を記憶する個人情報記憶手段と、
特定の人物の識別情報とを記憶する記憶手段と、
ユーザの周囲に存在する人物を特定する特定手段と、
上記特定手段によってユーザの周囲に存在すると特定した人物が上記記憶手段に記憶に記憶された人物であるとき、当該人物が所有する情報通信端末にユーザの個人情報を送信する送信手段と
を備えること特徴とする請求項１記載の記録装置。
【請求項８】
ユーザの生体情報及び／又はユーザの周囲の環境情報を測定する測定工程と、
上記生体情報及び／又は環境情報を基にユーザの状態の変化を検出する変化検出工程と、
上記変化検出工程が変化を検出したとき、情報を記録手段に記録する記録工程と
を有することを特徴とする記録方法。
【請求項９】
上記変化検出工程は、上記生体情報及び／又は環境情報を観測値とする特徴空間にクラスを形成し、上記測定工程で測定した生体情報及び／又は環境情報が属するクラスを判定し、異なる時間に測定された生体情報及び／又は環境情報が属するクラスが異なるとき、ユーザの状態の変化を検出すること
を特徴とする請求項８記載の記録方法。
【請求項１０】
上記変化検出工程は、生体情報及び／又は環境情報の値と上記生体情報及び／又は環境情報の標準値を示す閾値とを比較し、当該生体情報及び／又は環境情報が上記閾値の範囲を超えたときにユーザの状態の変化を検出すること
を特徴とする請求項８記載の記録方法。
【請求項１１】
時刻を計時する計時工程と、
上記変化検出工程で変化を検出したときの時刻を記録する時刻記録工程と
を有することを特徴とする請求項８記載の記録方法。
【請求項１２】
ユーザの位置を測定する位置測定工程と、
上記変化検出工程でユーザの状態の変化を検出したときのユーザの位置を記録する位置記録工程と
を有することを特徴とする請求項８記載の記録方法。
【請求項１３】
ユーザの周囲に存在する人物を特定する特定工程と、
上記特定工程においてユーザの周囲に存在すると特定した人物が所有する情報通信端末にユーザの個人情報を送信する送信工程と
を有することを特徴とする請求項８記載の記録方法。
【発明の詳細な説明】
【技術分野】
【０００１】
本発明は、ユーザの周囲の状況を自動的に記録する記録装置及び記録方法に関する。
【背景技術】
【０００２】
近年、センサの発達や情報機器の小型化により、携帯可能な生体センサや環境センサが開発されている。生体センサは、ユーザの生体情報を測定するセンサである。生体情報は、心拍数や脳波など身体を構成する器官の動きを定量的に示したものである。小型の生体センサを身に付けて生体情報を測定し、この生体情報を解析することでユーザの情動や健康状態の変化を検出することができる。環境センサは、天気、気温、騒音などユーザの周囲の環境を測定するセンサである。騒音の発生や天候の変化などは、ユーザの周囲に何らかの変化が生じたことを示す。
【０００３】
従来、ユーザの生体情報や環境情報を記録しユーザの記憶を支援する情報処理装置が存在する。そして、記録した情報から目的の情報を検索するために、生体情報が記録された全期間のヒストグラムまたは分布曲線を生成し、ヒストグラムや分布曲線における生体センサ情報パラメタの意味合いを利用している（例えば、特許文献１参照。）。
【特許文献１】特開２００２−２３６６９８号公報
【発明の開示】
【発明が解決しようとする課題】
【０００４】
特許文献１に記載の情報処理装置は、生体情報や環境情報を常時記録しているため、記録する情報量が非常に大きくなり、記録資源を多量に消費してしまう。また、多量の情報を記録すると、目的の情報を検索するときの演算量が増大し、演算処理の負荷が高まったり、演算待ち時間が長くなるおそれがある。
本発明は、上記課題に鑑みてなされたものであり、ユーザの周囲の状況を効率よく記録する記録装置及び記録方法を提供することを目的とする。
【課題を解決するための手段】
【０００５】
上述した課題を解決するために、本発明にかかる記録装置は、ユーザの生体情報及び／又はユーザの周囲の環境情報を測定する測定手段と、生体情報及び／又は環境情報に基づく値の変化を検出する変化検出手段と、変化検出手段が変化を検出したとき、ユーザ自身あるいは周囲の画像及び／又は音声を記録する記録手段を備える。特に、変化検出手段は、生体情報及び／又は環境情報に基づく値を観測値とする特徴空間にクラスを形成し、現在測定した生体情報及び／又は環境情報が属するクラスと、過去に測定した生体情報及び／又は環境情報が属するクラスとが異なるときに変化を検出する。
また、本発明にかかる記録方法は、ユーザの生体情報及び／又は環境情報を測定し、測定した生体情報及び／又は環境情報が変化したとき、ユーザの周囲の画像及び／又は音声を記録する。
【発明の効果】
【０００６】
本発明によれば、ユーザの生体情報及び／又は環境情報が変化したときに、ユーザの周囲の画像及び／又は音声を記録するので、常時記録する場合と比較して、記録する情報量が少なくなる。また、ユーザの生体情報及び／又は環境情報が変化するときにユーザの周囲の状況を記録しているので、印象的な情報を高い確率で記録している。
【０００７】
さらに、本発明では、画像や音声のほかに、画像や音声を記録した時間、場所、一緒にいた人物などを記録するため、記憶を引き出しやすく、この記録を参照して目的の情報を検索することができる。
【０００８】
また、情報を記録した時間、場所、一緒にいた人物、変化した生体情報、環境情報などを表示することにより、ユーザが自身の一日を振り返ったり、忘れていたことを思い出したりするための支援をすることができる。
【発明を実施するための最良の形態】
【０００９】
１．情報記録装置の実施形態
以下、図面を参照して本発明を適用した情報記録装置について説明する。本発明を適用した情報記録装置は、ユーザの内的変化及び外的変化を自動的に検出し、この変化に応じてユーザの周囲の画像や音声を記録することを特徴とする。
【００１０】
図１は、本発明に係る情報記録装置１の構成を示すブロック図である。情報記録装置１は、ユーザの生体情報を測定する生体センサ２、ユーザの周囲の環境情報を測定する環境センサ３、ユーザの内的変化及び外的変化を検出する変化検出部４、静止画を撮像するビデオカメラ５、静止画像を撮像するスチルカメラ６、音声を収集するマイクロフォン７、画像や音声を記憶する記憶部８、ユーザの位置を測定する位置測定部９、時刻を計時する計時部１０、画像やテキストを表示する表示部１１、情報記録装置１を制御する制御部１２とを備える。
【００１１】
生体センサ２は、ユーザの生体情報を測定する。生体情報は、主に、ユーザの内部状態を示す情報である。もちろん、生体センサ２は、情報記録装置１とは別体に構成されユーザの体表面などに取り付けられ、有線または無線の伝送形態で生体データを情報記録装置１に提供するようにしてもよい。生体センサ２は、情報記録装置１の表面や情報記録装置１内部に設けられる。生体データとしては、呼吸、血中飽和酸素濃度、発汗量、心拍、脈拍、呼吸、瞬目、眼球運動、凝視時間、瞳孔径の大きさ、血圧、脳波、体動、体位、皮膚温度、皮膚電気抵抗、ＭＶ（マイクロバイブレーション）、筋電位、ＳＰＯ２（血中酸素飽和度）といったデータがあり、これらは、心電図測定計、筋電図測定計、頭部電圧測定計、赤外光画像強度解析、圧力センサ、温度センサ、発汗センサ等の各種測定機器により測定できる。
【００１２】
環境センサ３は、測定者の周囲の環境情報を測定するセンサである。環境情報は、主に、ユーザの外部状態を示す情報である。環境情報としては、気温、湿度、天気、風速、時刻、明度、匂い、高度、音量、大気汚染度、緯度、経度、移動速度、加速度、月齢、重力、振動量といったデータであり、これらは、明度計、ガスセンサ、温度計、気圧計、高度計、雨滴センサ、気圧計、時計、騒音センサ、大気汚染度センサ、ＧＰＳ（Global Positioning System）により測定できる。この環境センサ３も、生体センサ２同様、情報記録装置１本体に設けられてもよいし、別体として構成されていてもよい。
【００１３】
変化検出部４は、パターン認識を用いてユーザの内的変化又は外的変化を検出する。パターン認識は、認識対象をいくつかのクラスに分類し、観測する値を特徴空間にマッピング（座標プロット）し、いくつかのクラスのうちの１つに対応させる処理である。クラスは、既に収集した観測値から学習的に生成される。なお、観測値のマッピングおよびクラス分類の方法については後述する。
【００１４】
制御部１２は、変化検出部４が変化を検出すると、ビデオカメラ５、スチルカメラ６、およびマイクロフォン７の少なくとも１つを作動し、変化が発生したときのユーザの周囲の状況を示す画像や音声、ユーザ自身の画像や音声などとともに、そのときの各センサの出力値を記憶部８に記録する。さらに制御部１２は、位置測定部９からユーザの位置、計時部１０から現在時刻を取得し、画像や音声とともに記憶部８に記録する。位置測定部９は、上記のＧＰＳにより位置情報を取得する方法以外に、いわゆるホットスポットと呼ばれる無線通信のためのアクセスポイントに接続することにより位置情報を取得することもできる。また、本装置が携帯電話としての機能を持つものであれば位置情報が取得できるのでそれを利用することもできる。以下、記録した画像や音声をコンテンツと記す。
【００１５】
表示部１１は、記憶部８に記録される画像や音声、記録された画像や音声をユーザがモニタするために、制御部１２により制御されて表示する。また、各種の操作情報や制御情報を表示するためにも使用される。
【００１６】
記録内容出力部１３は、図示しない操作部より入力されたユーザの指示に応じて記録した内容を所定の形式で出力する。なお、この出力形式については後述する。
【００１７】
なお、生体情報および環境情報のうち、例えば瞬目、眼球運動、凝視時間、瞳孔径、体動、体位、明度、音量などは、ビデオカメラ５やマイクロフォン７から取得することもでき、これらを観測対象とする場合は、生体センサ２や環境センサ３は省略することもできる。
【００１８】
これらの各ブロックにより構成されるこの実施形態の情報記録装置１によれば、生体センサ２によりユーザの生体情報を観測し、環境センサ３によりユーザの周囲の環境情報を観測し、変化検出部４においてそれらの観測値を特徴空間上にマッピングしその観測値があるクラスから別のクラスへ移動したことを検出した場合に、ビデオカメラ５、スチルカメラ６、マイクロフォン７などの入力デバイスからの信号を記憶部８に記録するようにしている。このとき、ユーザの位置や記録時刻なども同時に記録するようにしているので、この後の再生時における検索などが容易に行える。
【００１９】
なお、生体情報や環境情報の観測値に変化が検出された時点も含めて、その直前から画像や音声を記録したい場合には、リングバッファ形式のメモリに常時記録しておき、観測値が変化した時点でそれよりも以前の画像や音声も記憶部８に転送し記録するようにすればよい。このメモリは制御部１２の内部に設けてもよいし、記憶部８の一部に領域確保して設けるようにしてもよい。
【００２０】
１−１  観測値のマッピングおよびクラス分類
図２は、心拍数、皮膚抵抗、皮膚温度差の３つの生体情報を観測値として３次元特徴空間にマッピングする例を示している。ここでは、ユーザの平常状態を示すクラスＣ０とその他の状態を示す３つのクラスＣ１〜Ｃ３が生成されている。なお、ここでは説明を簡単にするため、および図面作図の都合上、クラスを４つとし、それらが十分に離れているように示しているが、各クラスは接近していてもよいし、さらに多くのクラスに分類されていてもよい。図２においては新たに測定した生体情報は、これら４つのクラスＣ０〜Ｃ３のうちの１つに属する若しくはこれらのクラスＣ０〜Ｃ３のいずれにも属さない飛び値となる。
【００２１】
変化検出部４は、新たな観測値を入力するごとに、この観測値がどのクラスＣ０〜Ｃ３に属するのかを判定する。変化検出部４は、新たな観測値が属するクラスとこの観測値より手前に入力した観測値の属するクラスを比較し、これらのクラスが異なるときにはユーザの状態が変化したと判断する。また、観測値がいずれのクラスにも属さないときにもユーザの状態が変化したと判断する。すなわち、クラスＣ０〜Ｃ３に属さない特徴空間領域も１つのクラスであるとすれば、新たな観測値が入力され特徴空間上でマッピングされたとき、観測値がこれまで属していたクラスから別のクラスに移動したときにユーザの状態が変化したと判断するものとする。
【００２２】
変化検出部４は、観測値をクラスに割り当てるとともに、観測値とクラスとの対応関係を知識として学習する。この学習の繰り返しにより、ユーザに適合した特徴空間を生成することができる。例えば、皮膚温度を観測値とした場合、いわゆる平熱と呼ばれる平常時の観測値領域をクラスＣ０として定義することができるが、この平常値はユーザにより異なるばかりでなく、同一ユーザにおいても時刻や季節などでも変化する。また、センサの種類や取り付け方法によっては観測値に突発的なノイズが混入することもあり、それらは観測対象としないことが望ましい。したがって、各観測値を特徴空間上にプロット（マッピング）するとき、ある期間内で観測値の分布状態、つまり密度や分散などを求めて、その密度の高い領域をクラスとして再定義し更新していくことが望ましい。
【００２３】
なお、ここでは、３つの生体情報の値を観測値として状態の変化を検出するが、他の生体情報及び環境情報を観測値として特徴空間を生成してもよい。このとき、観測値の個数を変えて、７次元特徴空間や８次元特徴空間など次数の異なる特徴空間を生成してもよい。さらに、多数の特徴空間を同時に生成してもよい。
【００２４】
本発明を適用した変化検出部４は、観測値の分布によって、ユーザの内部状態及び外部状態の大まかな分類を行い、状態があるクラスから他のクラスに遷移したことをトリガとして画像や音声を記録する。本発明の主旨は、状態の変化をトリガとしてユーザの周囲の状況を記録し、必要な場面を効率的に記録するという点にあるため、特にユーザがどのような状態にあるかを解析する必要はない。
【００２５】
１−２  他の変化検出方法
以下、他の変化検出方法を２つ説明する。第１の方法では、異なる時間に測定された同一の観測値を比較し、観測値の差が所定の閾値よりも大きい場合に変化を検出する。観測が所定の時間間隔ごとになされる場合、前回の観測値と今回の観測値との差分あるいは偏差分を求め、その値が大きい場合にユーザの状態が変化したと判断するものとする。もちろん、観測値がアナログ値である場合は、その微分あるいは偏微分を求めればよい。例えば、心拍数が変化したときにビデオカメラ５やマイクロフォン７を作動させると、運動をしているときや緊張しているときの画像を取得することができる。
【００２６】
但し、体温、明度、高度などは、徐々に変化する観測値である。このように緩慢に変化する観測値を短い時間間隔で比較しても変化を検出することができないので変化を検出するための時間間隔を設定し、現在測定した値と時間間隔前に測定した値の差が閾値より大きいときには変化したものと判断する。なお、時間間隔や閾値は、固定でもよいし学習によって更新してもよい。
【００２７】
第２の方法では、観測値が所定の閾値を超えるか否かによってユーザの変化を検出する。例えば、人間は、興味のないものを凝視することはない。ユーザの凝視時間が長いときは、ユーザが何かに集中している可能性が高い。そこで、凝視時間が所定の閾値より長いときにビデオカメラ５やスチルカメラ６を作動すると、ユーザが注目した対象を撮像することができる。また、人間の普段の生活では、あまり大きな音が発生することはない。そこで大きな音が発生したときは、事故やハプニングが起きた可能性が高い。そこで、閾値より大きな音がしたときにビデオカメラ５やスチルカメラ６を作動し、宴会での乾杯のシーンや事故現場などを撮像することができる。なお、閾値は、固定ではなく、ユーザごとに変更してもよい。
【００２８】
１−３  記録内容の出力方法
これまで、ユーザの周囲の情報を記録する構成について説明した。これからは、記録した情報をユーザが検索しやすい状態で出力する出力方法について説明する。記録内容出力部１３は、ユーザの指示に応じて記録した内容を所定の形式で出力する。図３は、リスト形式で出力したときの画面４１である。この例では、コンテンツを記録したときの時間、記録したときの位置、変化した測定値の種類などを表示している。コンテンツが動画や音声である場合には、記録開始時刻と記録終了時刻、あるいは記録開始時刻と記録時間を表示してもよい。このリストは、どのようなコンテンツを蓄積しているかをユーザに示す通知画面であるとともに、蓄積したデータの出力指示を受け付ける入力画面である。ユーザはポインティングデバイス又は十字キーの操作により表示するコンテンツを指示し、記録内容出力部１３は指定されたコンテンツを出力する。もちろん、指定されたコンテンツを表示部１１に表示するようにしてもよい。
【００２９】
図４は、地図形式で表示したときの画面４２である。図４の地図上には、コンテンツの記録箇所であることを示す記号が表示されている。この記号は、コンテンツの名称やコンテンツを記録した時間、記録したコンテンツの個数、変化した観測値の種類などでもよい。ユーザが地図上の記号を選択すると、記録内容出力部１３は地図上の位置に対応したコンテンツ４３を出力する。
【００３０】
図５は、時間軸形式で表示したときの画面４４である。図５の時間軸には、コンテンツの記録箇所であることを示す記号が表示されている。この記号は、コンテンツの名称、コンテンツを記録した位置、記録したコンテンツの個数、変化した観測値の種類などでもよい。時間軸上の記号を選択すると対応するコンテンツが表示される。時間軸形式の表示は、カレンダーや時計上の画面にしてもよい。
【００３１】
なお、記録内容出力部１３は、観測値の種類を出力するとき、ユーザの分かり易い用語に変換して出力する。例えば、ユーザの呼吸量が多い場合には、単に「呼吸」と表現するのではなく「深呼吸」と表現する。また、クラス間の遷移状態や観測値の変化状態から検出されたユーザの情動に応じて「怒った」、「驚いた」という用語を表示してもよい。
【００３２】
以上説明したように本発明を適用した情報記録装置１は、ユーザの内部状態又は外部状態が変化したときにユーザの周囲の画像及び音声を記録することを特徴としている。この情報記録装置１は、タイミングを決めて情報を記録するので、連続記録の場合と比較して必要な記録容量が少なくなる。また、必要なコンテンツのみを記録するため、データの検索が容易になる。
【００３３】
さらに、情報記録装置１は、コンテンツを記録した日時及びコンテンツを記録した位置をコンテンツとともに記録するため、コンテンツを検索する目印として活用したり、コンテンツを整理するために活用したりすることができる。
【００３４】
２．携帯端末の実施形態
次いで、本発明を適用した携帯端末２０について説明する。この携帯端末２０は、上述した情報記録装置１に他の携帯端末２０と情報交換をするという機能を追加したものである。
【００３５】
図６は、携帯端末２０の構成を示すブロック図である。携帯端末２０は、上述した情報記録装置１と同様に、ユーザの生体情報を測定する生体センサ２１、ユーザの周囲の環境情報を測定する環境センサ２２、ユーザの内的変化及び外的変化を検出する変化検出部２３、静止画像を撮像するスチルカメラ２５、動画像を撮像するビデオカメラ２４、音声を収集するマイクロフォン２６、画像や音声を記憶する記憶部２７、ユーザの位置を測定する位置測定部２８、日時を計時する計時部２９、記録した内容を出力する表示部３０、携帯端末２０全体を制御する制御部３１を備える。上述したブロックは、情報記録装置１のブロックと同じ動作をするものとみなし説明を省略する。
【００３６】
さらに、携帯端末２０は、記録した情報を編集する編集部３２、他の携帯端末２０との情報交換を制御する情報交換部３３を備える。
【００３７】
編集部３２は、記録したコンテンツの名称、コンテンツに記録された人物の名称などのコンテンツ属性をコンテンツとともに記録する。コンテンツ属性は、後述するように自動的に入力されるが、ユーザが入力することもできる。
【００３８】
情報交換部３３は、例えばブルーツゥース（Bluetooth）のような近距離無線技術に基づく通信手段を備える。同種の携帯端末２０を所持するユーザ同士が至近距離にいるとき、互いにワイヤレス接続が可能になりＰ２Ｐ通信などが可能となる。すなわち、他の携帯端末２０に記録されているコンテンツや各種の情報を、携帯端末２０側で自動的に取得することができる。
【００３９】
また、記憶部２７には上記の画像や音声のほかに、この携帯端末２０の所有者としてのユーザの個人情報が記録されている。個人情報としては、名前、年齢、メールアドレス、電話番号、顔画像などが記録できるものとする。
【００４０】
コンテンツ属性の入力例を説明する。図７のコンテンツは、ある宴会の様子を示している。前述の実施形態で説明したように、この携帯端末２０においても、ユーザの状態変化に応じて画像や音声が記録される。例えば、宴会における乾杯の音をトリガとしてその場の画像や音声が記録される。そして、それぞれのユーザが所持する携帯端末２０同士が至近距離内にあるので情報交換部３３の通信手段により互いにワイヤレス接続され、それぞれの携帯端末２０に記録されるユーザの個人情報や記録されたコンテンツなどが情報交換される。送信されてきた個人情報は、記録された画像や音声と関連付けられて記憶部２７に記録される。
【００４１】
個人情報やコンテンツの情報交換において、通信相手にかかわらずすべての情報を送信することは望ましくないので、情報交換部３３はそれを制限するための交換許可情報を備える。情報交換部３３は、ユーザの交換許可情報を入力し、交換許可情報に従って他のユーザとの情報交換を行う。交換許可情報には、情報を提供する人物及び提供する情報の種類が記述されている。交換許可情報は、ユーザが入力し、例えば記憶部２７の所定領域に記録される。交換許可情報の入力画面には、図８に示すように送信許可人物を選択する人物選択エリア６１が表示されている。ユーザが送信を許可する人物を選択すると、送信許可項目を選択する項目選択エリア６２が表示される。送信許可項目選択エリア６２には、名前、年齢、メールアドレス、電話番号、顔画像、コンテンツ、テキストなどの送信可能な項目が表示されている。コンテンツとはこの携帯端末２０に記録されたコンテンツであり、テキストとはユーザが送信先のユーザに伝えるメッセージなどを記述したテキストである。ユーザは、送信許可項目選択エリア６２から送信する情報を選択する。
【００４２】
情報交換部３３は、ユーザの周囲に情報を送信する人物が存在するか否かを判断し、該当する人物を発見した場合には、その人物の携帯端末２０にユーザの個人情報を送信する。情報交換部３３は、各個人が所有する端末が発信する所有者を示す情報を受信し、この情報を元にその場にいる人物を特定する。また、情報交換部３３は、他の携帯端末２０から受信した他のユーザの個人情報をコンテンツとともに記録する。このように、コンテンツと、コンテンツに記録された周囲の人間とが同時に記録するとコンテンツを記録したときの様子を更に詳しく記録することができる。なお、情報交換部３３は、その場にいる人物全員にブロードキャストで情報を伝送することもできる。
【００４３】
なお、上記の実施形態では、予め携帯端末２０に登録された人物の個人情報に基づいて近距離通信の相手を特定しているが、未登録の人物の場合には編集部３２によりユーザが入力するか、相手から個人情報を送信してもらい、それを記録したコンテンツと関連付けて記録する。あるいは、バイオメトリクスを用いて、顔写真の特徴点や声紋から人物を特定する。
【００４４】
以上説明したように、本発明を適用した携帯端末は、コンテンツと、コンテンツの属性と、コンテンツを記録したときに周囲にいた人間に関する情報とを関連付けて記録するため、コンテンツを記録したときの情景を思い出すことができる。
【図面の簡単な説明】
【００４５】
【図１】情報記録装置の構成を示すブロック図である。
【図２】特徴空間の一例を示す図である。
【図３】記録したコンテンツの一覧をリスト形式で表示した表示画面例である。
【図４】コンテンツの記録位置を地図上に表示した表示画面例である。
【図５】コンテンツの記録時間を時間軸形式で表示した表示画面例である。
【図６】携帯端末の構成を示すブロック図である。
【図７】コンテンツの属性を入力する入力画面例である。
【図８】送信許可情報を入力する入力画面例である。
【符号の説明】
【００４６】
１  情報記録装置、２  生体センサ、３  環境センサ、４  変化検出部、５  ビデオカメラ、６  スチルカメラ、７  マイクロフォン、８  記憶部、９  位置測定部、１０  計時部、１１  表示部、１２  制御部、２０  携帯端末、３２  編集部、３３  情報交換部、５１  個人情報入力エリア、６１  人物選択エリア、６２  送信許可項目選択エリア
【図１】
2005110869.tif 000003
【図２】
2005110869.tif 000004
【図３】
2005110869.tif 000005
【図４】
2005110869.tif 000006
【図５】
2005110869.tif 000007
【図６】
2005110869.tif 000008
【図７】
2005110869.tif 000009
【図８】
2005110869.tif 000010
【手続補正書】
【提出日】平成16年10月22日(2004.10.22)
【手続補正１】
【補正対象書類名】特許請求の範囲
【補正対象項目名】全文
【補正方法】変更
【補正の内容】
【特許請求の範囲】
【請求項１】
情報を取得する取得手段と、
ユーザの生体情報及び／又はユーザの周囲の環境情報を測定する測定手段と、
上記測定手段により測定された上記生体情報及び／又は環境情報の変化を検出する変化検出手段と、
上記変化検出手段が上記生体情報及び／又は環境情報の変化を検出したとき、上記取得手段が取得した情報を記録手段に記録させる記録制御手段と
を備えることを特徴とする記録装置。
【請求項２】
上記変化検出手段は、上記生体情報及び／又は環境情報に基づく値を観測値とする特徴空間にクラスを形成し、現在測定した生体情報及び／又は環境情報が属するクラスと、過去に測定した生体情報及び／又は環境情報が属するクラスとが異なるときに上記生体情報及び／又は環境情報の変化を検出すること
を特徴とする請求項１記載の記録装置。
【請求項３】
上記変化検出手段は、異なる時間に測定された生体情報及び／又は環境情報の値を比較し、この差が所定の閾値より大きいときに上記生体情報及び／又は環境情報の変化を検出すること
を特徴とする請求項１記載の記録装置。
【請求項４】
上記変化検出手段は、生体情報及び／又は環境情報の値と上記生体情報及び／又は環境情報の標準値を示す閾値とを比較し、当該生体情報及び／又は環境情報が上記閾値の範囲を超えたときに上記生体情報及び／又は環境情報の変化を検出すること
を特徴とする請求項１記載の記録装置。
【請求項５】
時刻を計時する計時手段を備え、
上記記録制御手段は、上記生体情報及び／又は環境情報が変化した時刻を記録手段に記録させること
を特徴とする請求項１記載の記録装置。
【請求項６】
ユーザの位置を測定する位置測定手段を備え、
上記記録制御手段は、上記生体情報及び／又は環境情報が変化したときのユーザの位置を記録手段に記録させること
を特徴とする請求項１記載の記録装置。
【請求項７】
ユーザの個人情報を記憶する個人情報記憶手段と、
特定の人物の識別情報とを記憶する記憶手段と、
ユーザの周囲に存在する人物を特定する特定手段と、
上記特定手段によってユーザの周囲に存在すると特定した人物が上記記憶手段に記憶された人物であるとき、当該人物が所有する情報通信端末にユーザの個人情報を送信する送信手段と
を備えること特徴とする請求項１記載の記録装置。
【請求項８】
ユーザの生体情報及び／又はユーザの周囲の環境情報を測定する測定工程と、
上記生体情報及び／又は環境情報の変化を検出する変化検出工程と、
上記変化検出工程が上記生体情報及び／又は環境情報の変化を検出したとき、情報を記録手段に記録する記録工程と
を有することを特徴とする記録方法。
【請求項９】
上記変化検出工程は、上記生体情報及び／又は環境情報を観測値とする特徴空間にクラスを形成し、上記測定工程で測定した生体情報及び／又は環境情報が属するクラスを判定し、異なる時間に測定された生体情報及び／又は環境情報が属するクラスが異なるとき、上記生体情報及び／又は環境情報の変化を検出すること
を特徴とする請求項８記載の記録方法。
【請求項１０】
上記変化検出工程は、生体情報及び／又は環境情報の値と上記生体情報及び／又は環境情報の標準値を示す閾値とを比較し、当該生体情報及び／又は環境情報が上記閾値の範囲を超えたときに上記生体情報及び／又は環境情報の変化を検出すること
を特徴とする請求項８記載の記録方法。
【請求項１１】
時刻を計時する計時工程と、
上記変化検出工程で変化を検出したときの時刻を記録する時刻記録工程と
を有することを特徴とする請求項８記載の記録方法。
【請求項１２】
ユーザの位置を測定する位置測定工程と、
上記変化検出工程で上記生体情報及び／又は環境情報の変化を検出したときのユーザの位置を記録する位置記録工程と
を有することを特徴とする請求項８記載の記録方法。
【請求項１３】
ユーザの周囲に存在する人物を特定する特定工程と、
上記特定工程においてユーザの周囲に存在すると特定した人物が所有する情報通信端末にユーザの個人情報を送信する送信工程と
を有することを特徴とする請求項８記載の記録方法。
【手続補正２】
【補正対象書類名】明細書
【補正対象項目名】０００５
【補正方法】変更
【補正の内容】
【０００５】
上述した課題を解決するために、情報を取得する取得手段と、ユーザの生体情報及び／又はユーザの周囲の環境情報を測定する測定手段と、測定手段により測定された上記生体情報及び／又は環境情報の変化を検出する変化検出手段と、変化検出手段が生体情報及び／又は環境情報の変化を検出したとき、取得手段が取得した情報を記録手段に記録させる記録制御手段とを備える。特に、変化検出手段は、生体情報及び／又は環境情報に基づく値を観測値とする特徴空間にクラスを形成し、現在測定した生体情報及び／又は環境情報が属するクラスと、過去に測定した生体情報及び／又は環境情報が属するクラスとが異なるときに変化を検出する。
また、本発明にかかる記録方法は、ユーザの生体情報及び／又は環境情報を測定し、測定した生体情報及び／又は環境情報が変化したとき、ユーザの周囲の画像及び／又は音声を記録する。
【手続補正３】
【補正対象書類名】明細書
【補正対象項目名】００１１
【補正方法】変更
【補正の内容】
【００１１】
生体センサ２は、ユーザの生体情報を測定する。生体情報は、主に、ユーザの内部状態を示す情報である。もちろん、生体センサ２は、情報記録装置１とは別体に構成されユーザの体表面などに取り付けられ、有線または無線の伝送形態で生体データを情報記録装置１に提供するようにしてもよい。生体センサ２は、情報記録装置１の表面や情報記録装置１内部に設けられる。生体データとしては、呼吸、発汗量、心拍、脈拍、呼吸、瞬目、眼球運動、凝視時間、瞳孔径の大きさ、血圧、脳波、体動、体位、皮膚温度、皮膚電気抵抗、ＭＶ（マイクロバイブレーション）、筋電位、ＳＰＯ２（血中酸素飽和度）といったデータがあり、これらは、心電図測定計、筋電図測定計、頭部電圧測定計、赤外光画像強度解析、圧力センサ、温度センサ、発汗センサ等の各種測定機器により測定できる。
【手続補正４】
【補正対象書類名】図面
【補正対象項目名】図６
【補正方法】変更
【補正の内容】
【図６】
2005110869.tif 000011